(57)【要約】【課題】  既設のサッシュ枠に容易に適用することができ、低コストで結露の発生を効果的に防止することのできる既設サッシュ枠の結露防止構造、及び、既設サッシュ枠用結露防止具を提供する。【解決手段】  既設のサッシュ枠１の木枠２への取付縁部１Ｃの表面に、柔軟な材料からなる細長い帯状の断熱部材５が接着固定されているとともに、断熱部材５全体と取付縁部１Ｃ全体、ならびに、取付縁部１Ｃに隣接する木枠表面２Ａの所定幅の範囲が、断熱部材５に接着固定された硬質な樹脂材料からなる保護カバー６で覆われ、且つ、保護カバー６の周縁部とこれに対向する木枠２ならびに取付縁部１Ｃとの間がコーキング剤Ｋにより密封されて保護カバー６内部への湿気の侵入が阻止されている。【選択図】  図１
2008095325.tif 000002
【特許請求の範囲】
【請求項１】
サッシュ枠の取付縁部の裏面を家屋の壁面開口部に設けられた木枠の表面に当接させた状態で前記木枠に固定されている既設サッシュ枠の結露防止構造であって、
前記取付縁部の長手方向の略全長にわたり、柔軟な材料からなる細長い帯状の断熱部材の裏面側が当該取付縁部の表面に接着固定されているとともに、前記断熱部材の全体、前記取付縁部の表面全体、ならびに、少なくとも前記取付縁部に隣接する前記木枠表面の所定幅の範囲が、前記断熱部材の表面側に接着固定された硬質な樹脂材料からなる保護カバーで覆われ、且つ、前記保護カバーの周縁部分とこれに対向する前記木枠ならびに前記取付縁部との間がコーキング剤により密封されて、当該保護カバー内部への湿気の侵入が阻止されていることを特徴とする既設サッシュ枠の結露防止構造。
【請求項２】
垂直片とその下端部から室内側に水平に延びる取付縁部からなる横断面略Ｌ字状部分を有するサッシュ枠の前記取付縁部の下面を家屋の壁面開口部に設けられた木製の下枠上面に当接させた状態で前記下枠に固定されている既設サッシュ枠の結露防止構造であって、
前記横断面略Ｌ字状部分の長手方向の略全長にわたり、柔軟な材料からなり、横断面略Ｌ字状の断熱部材の垂直部分と水平部分がそれぞれ室内側に面する前記垂直片の表面と取付縁部の上面とに接着固定されているとともに、前記断熱部材全体、前記取付縁部の上面全体、前記垂直片の表面全体、ならびに、少なくとも前記取付縁部に隣接する前記下枠上面の所定幅の範囲が、前記断熱部材に接着固定された硬質な樹脂材料からなる保護カバーで覆われ、且つ、前記保護カバーの周縁部分とこれに対向する前記下枠ならびに前記垂直片の上端縁との間がコーキング剤により密封されて、当該保護カバー内部への湿気の侵入が阻止されていることを特徴とする既設サッシュ枠の結露防止構造。
【請求項３】
柔軟な材料からなり、細長い帯状に形成されてその裏面側に剥離紙で被覆保護された接着剤層が設けられている断熱部材と、
硬質な樹脂材料からなり、前記断熱部材の表面側が接着固定される断熱部材接着面を有し、前記断熱部材の裏面を除く残りの略全体部分を覆う細長い保護カバーとを備えたことを特徴とする既設サッシュ枠用結露防止具。
【請求項４】
柔軟な材料からなり、垂直部分と、前記垂直部分の表面側の下端部に連続する水平部分とによって横断面略Ｌ字状に形成され、前記垂直部分の裏面と水平部分の下面にそれぞれ剥離紙で被覆保護された接着剤層が設けられている細長い断熱部材と、
硬質な樹脂材料からなり、前記断熱部材の垂直部分の表面が接着固定される垂直な断熱部材接着面と前記断熱部材の水平部分の上面が接着固定される水平な断熱部材接着面を有し、前記断熱部材の垂直部分の裏面と水平部分の下面を除く残りの略全体部分を覆う細長い保護カバーとを備えたことを特徴とする既設サッシュ枠用結露防止具。
【発明の詳細な説明】
【技術分野】
【０００１】
本発明は、マンション、戸建住宅等の既設サッシュ枠の結露を防止する方法、及び、既設サッシュ枠に装着して結露を防止するための結露防止具に関する。
【背景技術】
【０００２】
近年のマンションや戸建住宅等の建築物は気密性が高く、冬季等においては、室内外で大きな温度差が生じており、窓やベランダ出入り口等に用いられているアルミニウム等の金属製サッシュ枠の室内側表面に室内の暖かい空気が接触すると、空気中に含まれている水蒸気がサッシュ枠表面で急冷されて結露する現象が生じる。
【０００３】
その結果、サッシュ枠に隣接している木枠が腐食したり、木枠表面の塗料の浮きや、木枠が合板の場合には剥がれを生じ、また、サッシュ枠周囲の壁紙にも剥がれやカビを生じることがある。
【０００４】
そこで、このようなサッシュ枠の結露による木枠の腐食や内装材の汚損を防止するための一つの対策として、図６に示すように、サッシュ枠Ａ１の室内側の取付縁部Ａ２の下面と、このサッシュ枠Ａ１が取り付けられている木製の下枠Ａ３の上面との間に合成樹脂製の熱絶縁材Ａ４を挟み込むことが提案されている。（例えば、特許文献１参照。）
【特許文献１】特公平６−６３４０９号公報
【０００５】
図６に示すものは、外気によって冷却されたサッシュ枠Ａ１の取付縁部Ａ２と下枠Ａ３の上面間の熱伝導を熱絶縁材Ａ４によって遮断し、前記取付縁部Ａ２に隣接する部分の下枠Ａ３上面の温度が低下して結露が生じることを防止するとともに、下枠Ａ３サッシュ枠Ａ１の取付縁部Ａ２の裏側へ室内の湿気が侵入することを前記熱絶縁材Ａ４によってシールして阻止することを意図したものである。
【発明の開示】
【発明が解決しようとする課題】
【０００６】
前述した図６に示すものは、下枠Ａ３にサッシュ枠Ａ１を取り付ける際に、熱絶縁材Ａ４を装着するものであり、結露防止のために、既設のサッシュ枠にこのような熱絶縁材を後で付設する場合には、サッシュ枠を一旦取り外す作業が必要となるため、付設作業には時間と要するとともに費用が嵩む問題があった。
【０００７】
一方、既設のサッシュ枠を取り外す作業を必要とせずに結露防止対策を行えるものとして、サッシュ枠の上に取り付けて結露を防止するものも提案されている。（例えば、特許文献２参照。なお、同文献中においては、サッシュ枠を「サッシ枠」と呼称している。）
【特許文献２】実開平６−７１８６０号公報
【０００８】
前記特許文献２に記載されているサッシ枠用結露防止化粧枠は、化粧枠本体が中空形状をなすアルミニウム製の枠体として構成されていて、サッシ枠の額縁面に化粧枠本体の固着板部分を当接させて接着剤等によって固着し、化粧枠本体の中空部分に内在させた断熱部材によって、化粧板部分の温度を屋内側の温度に近い状態にしてサッシ枠の額縁部分に発生する結露を防止するとともに、額縁部分に露出しているネジの頭を覆い隠すようにしたものである。
【０００９】
しかしながら、上記特許文献２に記載されているサッシ枠用結露防止化粧枠は、既設のサッシ枠を取り外すことなく簡単に付設できる利便性を有しているが、化粧枠本体が中空形状のアルミ製の枠体として構成されているため、その中空部分に断熱部材を内在させていても、断熱部材を取り囲んでいる熱伝導率の大きい枠体部分を通して熱が移動してしまうので断熱部材による十分な断熱効果が得られず、化粧枠本体の温度が低下して表面に結露を生じてしまう可能性があった。
【００１０】
また、サッシ枠の額縁部分の表面からネジ頭が突出している場合には、化粧枠本体の固着板部分をサッシ枠の額縁部分の表面に当接させて接着することが困難となる問題もあった。
【００１１】
そこで、本発明は、前述したような、従来技術の有していた問題点を解消し、既設のサッシュ枠に容易に適用することができ、低コストで結露の発生を効果的に防止することのできる既設サッシュ枠の結露防止構造、及び、既設サッシュ枠用結露防止具を提供することを目的とする。
【課題を解決するための手段】
【００１２】
前記目的のため、本発明に係る第１の既設サッシュ枠の結露防止構造は、サッシュ枠の取付縁部の裏面を家屋の壁面開口部に設けられた木枠の表面に当接させた状態で前記木枠に固定されている既設サッシュ枠に適用されるものであって、前記取付縁部の長手方向の略全長にわたり、柔軟な材料からなる細長い帯状の断熱部材の裏面側が当該取付縁部の表面に接着固定されているとともに、前記断熱部材の全体、前記取付縁部の表面全体、ならびに、少なくとも前記取付縁部に隣接する前記木枠表面の所定幅の範囲が、前記断熱部材の表面側に接着固定された硬質な樹脂材料からなる保護カバーで覆われ、且つ、前記保護カバーの周縁部分とこれに対向する前記木枠ならびに前記取付縁部との間がコーキング剤により密封されて、当該保護カバー内部への湿気の侵入が阻止されるようにしたものである。
【００１３】
また、本発明に係る第２の既設サッシュ枠の結露防止構造は、垂直片とその下端部から室内側に水平に延びる取付縁部からなる横断面略Ｌ字状部分を有するサッシュ枠の前記取付縁部の下面を家屋の壁面開口部に設けられた木製の下枠上面に当接させた状態で前記下枠に固定されている既設サッシュ枠に適用されるものであって、前記横断面略Ｌ字状部分の長手方向の略全長にわたり、柔軟な材料からなり、横断面略Ｌ字状の断熱部材の垂直部分と水平部分がそれぞれ室内側に面する前記垂直片の表面と取付縁部の上面とに接着固定されているとともに、前記断熱部材全体、前記取付縁部の上面全体、前記垂直片の表面全体、ならびに、少なくとも前記取付縁部に隣接する前記下枠上面の所定幅の範囲が、前記断熱部材に接着固定された硬質な樹脂材料からなる保護カバーで覆われ、且つ、前記保護カバーの周縁部分とこれに対向する前記下枠ならびに前記垂直片の上端縁との間がコーキング剤により密封されて、当該保護カバー内部への湿気の侵入が阻止されるようにしたものである。
【００１４】
また、本発明に係る第１の既設サッシュ用結露防止具は、柔軟な材料からなり、細長い帯状に形成されてその裏面側に剥離紙で被覆保護された接着剤層が設けられている断熱部材と、硬質な樹脂材料からなり、前記断熱部材の表面側が接着固定される断熱部材接着面を有し、前記断熱部材の裏面を除く残りの略全体部分を覆う細長い保護カバーとを備えたものである。
【００１５】
また、本発明に係る第２の既設サッシュ結露防止具は、柔軟な材料からなり、垂直部分と、前記垂直部分の表面側の下端部に連続する水平部分とによって横断面略Ｌ字状に形成され、前記垂直部分の裏面と水平部分の下面にそれぞれ剥離紙で被覆保護された接着剤層が設けられている細長い断熱部材と、硬質な樹脂材料からなり、前記断熱部材の垂直部分の表面が接着固定される垂直な断熱部材接着面と前記断熱部材の水平部分の上面が接着固定される水平な断熱部材接着面を有し、前記断熱部材の垂直部分の裏面と水平部分の下面を除く残りの略全体部分を覆う細長い保護カバーとを備えたものである。
【発明の効果】
【００１６】
請求項１記載の発明によれば、冬期等において外気温が低下して家屋の壁面開口部に設けられた木枠に取り付けられているサッシュ枠が冷却された場合に、木枠表面に隣接しているサッシュ枠の取付縁部の上面を柔軟な断熱部材を介して硬質の樹脂からなる保護カバーで覆い、しかも、前記保護カバーの周縁部と、これに対向する前記木枠及び取付縁部の間がコーキング剤により密封されているため、保護カバー内部への湿気の侵入が阻止され、木枠と隣接している低温の取付縁部表面への結露を防止することができる。
【００１７】
また、サッシュ枠の取付縁部と保護カバーとの間には断熱部材が介在しているとともに、保護カバーは硬質の樹脂で形成されており、それ自体熱伝導率が小さいため、保護カバーからサッシュ枠の取付縁部への伝熱が抑制されるので、保護カバー表面への結露も防止することができる。
【００１８】
また、既設のサッシュ枠を取り外す作業を必要とせずに、結露防止構造を低コストで容易に付設することが可能となる。
【００１９】
また、請求項２記載の発明によれば、請求項１記載の発明の効果に加えてさらに、サッシュ枠の取付縁部と横断面Ｌ字状をなして連続している垂直片の室内に露出する表面も断熱部材を介して保護カバーで覆っているため、室内の湿気が垂直片表面に触れて結露を生じ、これが垂直片を伝わって下枠上面を濡らす現象についても確実に防止することができる。
【００２０】
請求項３記載の発明によれば、既設のサッシュ枠の取付縁部に短時間で容易に取り付けることができ、請求項１記載の発明に係る結露防止構造を、低コストで簡単に実現することができる。
【００２１】
また、既設のサッシュ枠の取付縁部表面から、サッシュ枠を木枠に取り付けている木ネジの頭部が多少突出している場合においても、断熱部材に柔軟な材料を用いているため、木ネジの頭部は断熱部材の中に沈み込むので、断熱部材をサッシュ枠の取付縁部表面に支障なく確実に固定することができる。
【００２２】
また、請求項４記載の発明によれば、請求項３記載の発明の効果に加えて、特に、取付縁部が垂直片の下端に連続して横断面Ｌ字状に形成されている出窓等のサッシュ枠に容易に取り付けることができ、請求項２記載の発明に係る結露防止構造を低コストで簡単に実現することができる。
【発明を実施するための最良の形態】
【００２３】
以下、本発明の実施形態を図面を参照して説明する。
図１は、本発明の既設サッシュ枠の結露防止構造の１実施形態を示す断面図であって、同図に示すように、金属製のサッシュ枠１は、家屋の部屋の開口部に設けられている木製の下枠２の前端面と、その下方に配置されている木製の受枠３の前端面とのそれぞれに、垂直部１Ａ、１Ｂを当接させた状態で、下枠２と受枠３のそれぞれに木ネジ等により固定されている。
【００２４】
サッシュ枠１の垂直部１Ａの上端には、室内側に水平に延びる取付縁部１Ｃが連設されている。本実施形態においては、前記取付縁部１Ｃに当接する下枠２の上面２Ａの前端部分には、取付縁部１Ｃの板厚に略等しい深さＤで、取付縁部１Ｃの突出幅Ｗだけ、前記上面２Ａの他の部分より一段低い段部Ｓが形成されており、この段部Ｓにサッシュ枠１の取付縁部１Ｃが陥入して当該取付縁部１Ｃの上面が、下枠２の上面２Ａと略同一レベルとなるように構成されている。
【００２５】
本発明による結露防止対策がまだ施されていないときには、下枠２の上面２Ａと隣接するサッシュ枠１の取付縁部１Ｃの上面部分は室内に露出しており、この状態では、冬期のように室外の温度が下がると、金属製で熱伝導率が大きいサッシュ枠１は、外気温に影響されて取付縁部１Ｃも含めて全体に温度が低下する。
【００２６】
そうすると、室内の湿気を含んだ暖かい空気は、取付縁部１Ｃの上面と接触すると熱を奪われて結露し、取付縁部１Ｃ側から下枠２の上面２Ａ側へ結露した水分が流れ出してこれが下枠２に腐食やカビを生じるさせる原因となる。
【００２７】
そこで、本実施形態における既設サッシュ枠の結露防止構造では、図１に示しているように、サッシュ枠１の取付縁部１Ｃの上面を、その長手方向の全長に略等しい長さを有する細長い既設サッシュ枠用結露防止具（以下、単に結露防止具という。）４によって覆い、その近傍の下枠２の上面２Ａの結露を防止するようにした。  
【００２８】
前記結露防止具４は、図２に示すように、発泡ポリスチロールや発泡ウレタン等の柔軟で高い断熱性を有する発泡樹脂材料で形成された細長い帯状の断熱部材５と、この断熱部材５を覆っているフェノール樹脂や硬質塩化ビニル樹脂等の硬質で高強度の樹脂材料で形成された保護カバー６から構成されている。
【００２９】
保護カバー６は、扁平で細長い棒状で、その略全長にわたって、平坦な取付面６Ａが形成されているとともに、断熱部材５の厚みと略等しい深さでその幅よりやや広幅の横断面扁平矩形状の凹部６Ｂが前記取付面６Ａに開口するように形成されている。
【００３０】
断熱部材５は、その厚み方向の表面５Ａ側が保護カバー６に形成されている凹部６Ｂ内の断熱部材接着面６Ｃに接着剤層７によって接着固定されており、裏面５Ｂ側は、保護カバー６の取付面６Ａ側に面して当該取付面６Ａと略同一レベルとなっている。また、前記裏面５Ｂには、剥離紙８で被覆保護された接着剤層９が設けられている。
【００３１】
なお、保護カバー６の断熱部材接着面６Ｃ対する断熱部材５の接着は、接着剤層７の代わりに両面接着テープを用いることができ、同様に、断熱部材５に設ける接着剤層９と剥離紙８についても両面接着テープを用いることができる。
【００３２】
前述したように構成されている結露防止具４は、図１に示すサッシュ枠１の結露防止を行おうとする取付縁部１Ｃの長さに合わせて作業現場で必要長さに切断するか、或いは、予め前記取付縁部１Ｃの長さに適合した規格寸法に製作されたものを用意して、作業現場で剥離紙８を剥がして露出させた接着剤層９を取付縁部１Ｃの上面に合わせて接着する。
【００３３】
この際、保護カバー６は、図１に示すように、取付縁部１Ｃの上面と下枠２の上面２Ａの一部とに跨るようにする。なお、同図に示すサッシュ枠１においては、取付縁部１Ｃの端縁に、その長手方向に連続する突縁１Ｄが形成されたものが用いられている。
【００３４】
これに対し、本実施形態においては、図２に示すように、保護カバー６に形成されている凹部６Ｂの幅を断熱部材５の幅より広くして隙間ａを形成し、この間隙ａ内に突縁１Ｄが入り込むようにして、結露防止具４の装着時に、前記突縁１Ｄが断熱部材５と干渉しないようにしてある。なお、前記間隙ａは取付縁部１Ｃに突縁１Ｄが形成されていない場合には設ける必要はない。
【００３５】
また、図示していないが、取付縁部１Ｃは、その長手方向に所定の間隔で木ネジを用いて下枠２に固定されている。これらの木ネジは通常皿ネジが使用されていて取付縁部１Ｃの上方へ木ネジの頭部は突出しないようにしてあるが、木ネジの取付状態によってはその頭部が取付縁部１Ｃの上面より突出している場合がある。
【００３６】
しかしながら、断熱部材５は、柔軟な発泡樹脂材料から形成されているため、突出している木ネジの頭部に断熱部材５を押し当てた時に、前記頭部は断熱部材５の中に沈み込むので結露防止具４の取付に支障をきたすことはない。なお、断熱部材５の素材としては発泡樹脂材料の他、厚手の布素材や不織布等、柔軟で断熱性に富むものを用いることができる。
【００３７】
こうして、結露防止具４を装着した後、図１に示すように保護カバー６の周縁部とこれに対向する下枠２ならびに取付縁部１Ｃとの隙間をコーキング剤Ｋで密封する。このようなコーキング作業を行うことにより、断熱部材５が収容されている保護カバー６の内部への湿気の侵入を防ぐことができる。
【００３８】
次に、図３は、本発明の既設サッシュ枠の結露防止構造の別の実施形態を示す断面図であって、この実施形態では、下枠２の上面２Ａには、前述した図１に示すような段部Ｓは形成されておらず、そのため、サッシュ枠１の取付縁部１Ｃ上面のレベルは、下枠２の上面２Ａよりも取付縁部１Ｃの板厚分だけ高くなっている。なお、前記段部Ｓの有無を除き、図１と図３で共通の番号で示している部材は同一構成となっている。
【００３９】
図３に示す結露防止構造においては、前述した形状の結露防止具４の取り付け時に下枠２の上面２Ａと結露防止具４の取付面６Ａとの間に取付縁部１Ｃの板厚分の隙間が生じるが、このような大きな隙間についても、隙間内にコーキング剤Ｋを充填することで密封する。
【００４０】
なお、前述した図１及び図３の実施形態における既設サッシュ枠の結露防止構造においては、図２に示す結露防止具４をサッシュ枠１の取付縁部１Ｃと木製の下枠２の間に装着しているが、前記結露防止具４は、これに限らず、家屋の壁面開口部に設けられた四方枠を構成する垂直な木枠部分等についても同様に装着して結露を防止することができる。
【００４１】
なお、前述した実施形態においては、結露防止具４の保護カバー６は、扁平な細長い棒状に形成されているが、保護カバーの形状は、取付面のみ平坦に形成してあればよく、その横断面形状は取付面を除き、半円形や台形等所望の形状とすることができる。
【００４２】
次に、図４は、本発明の既設サッシュ枠の結露防止構造のさらに別の実施形態を示すものあって、同図に示す結露防止構造は既設の出窓用のサッシュ枠と下枠との間に設けられるものである。
【００４３】
サッシュ枠１１は、その取付縁部１１Ａがその長手方向に所定の間隔で、水平な木製の下枠１２の上面１２Ａに木ネジ１３によって固定されている。本実施形態においては、サッシュ枠１１は、窓ガラスＧを保持するためのガラス保持溝１１Ｂを有していて、前記窓ガラスＧはガラス保持溝１１Ｂに嵌装されて、その両側をパテＰにより固定された嵌め殺し構造になっている。
【００４４】
また、サッシュ枠１１には、ガラス保持溝１１Ｂの室内側に隣接して、窓ガラスＧに結露して流下した水滴を受けるための露受溝１１Ｃが形成されている。前記露受溝１１Ｃの底面には、その長手方向に所定の間隔で溜まった水を排除するための水抜孔１１Ｄが形成されている。なお、水抜孔１１Ｄから下方へ落下した水は、図示しない流路を通って屋外へ排出されるようになっている。
【００４５】
前記露受溝１１の室内側の側壁部と、この側壁部に連続して下方へ延びる部分とによって垂直片１１Ｅが形成されている。前記垂直片１１Ｅの下端部からは、前記取付縁部１１Ａが室内側に向けて水平に延びており、取付縁部１１Ａと垂直片１１Ｅとによって、横断面Ｌ字状の部分を形成している。
【００４６】
前記横断面Ｌ字状の部分には、結露防止具１４が装着されている。図５に示すように、この結露防止具１４は、前述した図２に示す結露防止具４と同様に、柔軟で高い断熱性を有する発泡樹脂材料によって形成されている細長い断熱部材１５と、この断熱部材１５の上を覆っている硬質で強度の大きい樹脂材料によって形成されている細長い保護カバー１６から構成されている。なお、断熱部材１５の素材としては、発泡樹脂材料の他、柔軟で断熱性に富む布素材や不織布等を用いても良い。
【００４７】
前記保護カバー１６は、垂直部分１６Ａと、その下端部に連続する水平部分１６Ｂとによって横断面Ｌ字状に形成されていて、垂直部分１６Ａの裏面側上端部には、リブ１６Ｃが保護カバー１６の長手方向に連続して設けられている。また、水平部分１６Ｂの下面側先端部には、前記縁部１６Ｃと同様なリブ１６Ｄが保護カバー１６の長手方向に連続して設けられている。
【００４８】
垂直部分１６Ａの裏側のリブ１６Ｃの下方には、垂直な断熱部材接着面１６Ｅが形成されており、また、水平部分１６Ｂの裏側にはリブ１６Ｄに隣接して水平な断熱部材接着面１６Ｆが形成されている。
【００４９】
一方、前記断熱部材１５は、垂直部分１５Ａとその表面側の下端部に連続する水平部分１５Ｂとによって横断面Ｌ字状に形成されており、前記垂直部分１５Ａの表面と水平部分１５Ｂの上面は、それぞれ接着剤層１７Ａ、１７Ｂを介して、保護カバー１６の断熱部材接着面１６Ｅと水平部分１６Ｂの断熱部材接着面１６Ｆに接着されている。また、垂直部分１５Ａの裏面と、水平部分１５Ｂの下面には、剥離紙１８Ａ、１８Ｂで被覆保護された接着剤層１９Ａ、１９Ｂが設けられている。
【００５０】
本実施形態においては、断熱部材１５の垂直部分１５Ａの上端面は、保護カバー１６に形成されているリブ１６Ｃの下面に当接されていて、リブ１６Ｃは断熱部材１５の裏面から、図４に示すサッシュ枠１１の垂直片１１Ｅの板厚に略等しい長さ突出している。
【００５１】
また、図５に示すように、断熱部材１５の水平部分１５Ａの先端面とこれに対向する保護カバー１６のリブ１６Ｄの対向面との間には、結露防止具１４を図４に示すサッシュ枠１１に取り付ける際に、その取付縁部１４Ａの先端部に形成されている突縁１１Ｆとの干渉を避けるための隙間ｂが設けられている。また、リブ１６Ｄの下面は、断熱部材１５の水平部分１５Ｂの下面と略同一レベルの平坦面に形成されている。
【００５２】
前述したように構成されている結露防止具１４をサッシュ枠１４に取り付ける場合には、取付縁部１１Ａと垂直片１１Ｅから横断面Ｌ字状に形成されている部分の長さに合わせて作業現場で必要長さに切断するか、或いは、予め前記部分の長さに適合した規格寸法に製作されたものを用意し、作業現場で剥離紙１８Ａ、１８Ｂを剥がして露出させた接着剤層１９Ａ、１９Ｂをそれぞれ垂直片１１Ｅの表面と取付縁部１１Ａの上面に押し当てて、断熱部材１５をサッシュ枠１１に接着固定する。
【００５３】
この際、取付縁部１１Ａの先端に形成されている突縁１１Ｆは、保護カバー１６のリブ１６Ｄと断熱部材１５との間の隙間ｂ内に収容する。なお、図４に示すように、取付縁部１１Ａを下枠１２に取り付けている木ネジ１３の頭部が取付縁部１１Ａの上面から少々突出して装着されていても、柔軟性を有する断熱部材１５を木ネジ１１の頭部が凹ませてその中に沈み込むため、結露防止具１４の取付に支障をきたすことはない。
【００５４】
保護カバー１６は、断熱部材１５の垂直部分１５Ａの裏面と水平部分１５Ｂの下面、ならびに、長手方向の両端面を露出した状態で保護カバー１６を覆っているため、結露防止具１４をサッシュ枠１１に装着した後、保護カバー１６の周縁部分と、これに対向する下枠１２ならびにサッシュ枠１１の垂直片１１Ｅの上端縁のそれぞれの隙間にコーキングを施すことにより保護カバー１６の内側を密封して、断熱部材１５が収容されている保護カバー１６の内部への湿気の侵入を防ぐことができる。
【００５５】
前記コーキングの作業は、より具体的には、保護カバー１６のリブ１６Ｃの下面と、これに対向するサッシュ枠１１の垂直片１１Ｅの上端面に形成されている隙間にコーキング剤Ｋを充填して密封するとともに、リブ１６Ｄの外側面と下枠１２の上面１２Ａとで形成される隅部にコーキング剤Ｋを塗布して、前記上面１２Ａとリブ１６Ｄの下面との隙間を密封する。なお、保護カバー１６の長手方向の両端面もコーキング剤Ｋを用いてコーキングしておくことが望ましい。
【００５６】
なお、前述した実施形態においては、結露防止具１４は、横断面形状がＬ字状に形成されているが、断熱部材１５の垂直部分１５Ａの裏面と水平部分１５Ｂの下面を除く残りの略全体部分を覆って、内側に断熱部材１５を収容できる形状であれば良い。
【産業上の利用可能性】
【００５７】
本発明の既設サッシュ枠の結露防止構造、及び、既設サッシュ枠用結露防止具は、結露防止対策が施されていないサッシュ枠が既に取り付けられているマンションや戸建住宅等に、後から結露防止対策を施す場合に利用できるだけでなく、家屋の新築時にサッシュ枠に結露防止対策を施す場合にも利用することができる。
【図面の簡単な説明】
【００５８】
【図１】本発明の既設サッシュ枠の結露防止構造の１実施形態を示す断面図である。
【図２】本発明の既設サッシュ枠用結露防止具の１実施形態を示す横断面図である。
【図３】本発明の既設サッシュ枠の結露防止構造の別の実施形態を示す断面図である。
【図４】本発明の既設サッシュ枠の結露防止構造のさらに別の実施形態を示す断面図である。
【図５】本発明の既設サッシュ枠用結露防止具の別の実施形態を示す横断面図である。
【図６】従来のサッシュ枠の結露防止構造の１例を示す断面図である。
【符号の説明】
【００５９】
１            サッシュ枠
１Ａ、１Ｂ    垂直部
１Ｃ          取付縁部
１Ｄ          突縁
２            下枠
２Ａ          上面
３            受枠
４            結露防止具
５            断熱部材
６            保護カバー
６Ａ          取付面
６Ｂ          凹部
６Ｃ          断熱部材接着面
７            接着剤層
８            剥離紙
９            接着剤層              
１１            サッシュ枠
１１Ａ          取付縁部
１１Ｂ          ガラス保持溝
１１Ｃ          露受溝
１１Ｄ          水抜孔
１１Ｅ          垂直片
１１Ｆ         突縁
１２            下枠１２
１３            木ネジ
１４            結露防止具
１５            断熱部材
１５Ａ          垂直部分
１５Ｂ          水平部分
１６            保護カバー
１６Ａ          垂直部分
１６Ｂ          水平部分
１６Ｃ、１６Ｄ  リブ
１６Ｅ、１６Ｆ  断熱部材接着面
１７Ａ、１７Ｂ  接着剤層
１８Ａ、１８Ｂ  剥離紙
１９Ａ、１９Ｂ  接着剤層
【図１】
2008095325.tif 000003
【図２】
2008095325.tif 000004
【図３】
2008095325.tif 000005
【図４】
2008095325.tif 000006
【図５】
2008095325.tif 000007
【図６】
2008095325.tif 000008